(57)【要約】【課題】工費・工期を短縮できるとともに、谷池の貯水量が増加した際に堤体に作用する水圧に十分に抵抗して、堤体の崩壊を抑止できる堤体の補強構造を提供する。【解決手段】谷を堤体１０によって堰き止めることで形成された谷池１１の前記堤体１０の内部に鋼矢板壁１５が堤体１０の延在方向に沿って設置され、谷池１１の周囲でかつ堤体１０の近傍の地山１２にアンカー部２０が設置され、アンカー部２０が鋼矢板壁１５に接続されているので、工費・工期を短縮できるとともに、谷池の貯水量が増加した際に堤体に作用する水圧に十分に抵抗して、堤体の崩壊を抑止できる。【選択図】図１
2020117959.tif 000002
【特許請求の範囲】
【請求項１】
谷を堤体によって堰き止めることで形成された谷池の前記堤体を補強する堤体の補強構造であって、
前記堤体の内部に鋼製壁が前記堤体の延在方向に沿って設置され、
前記谷池の周囲の地山にアンカー部が設置され、
前記アンカー部が前記鋼製壁に接続されていることを特徴とする堤体の補強構造。
【請求項２】
前記アンカー部は、前記地山に設置された支持部材と、この支持部材と前記鋼製壁とを連結する連結部材とを備えていることを特徴とする請求項１に記載の堤体の補強構造。
【請求項３】
前記アンカー部は、前記鋼製壁と交差する方向に延在する控え壁を有し、この控え壁が前記鋼製壁に接続されていることを特徴とする請求項１に記載の堤体の補強構造。
【請求項４】
前記堤体の内部に設置された前記鋼製壁は、上端が前記堤体の天端と等しい高さ位置にあり、かつ前記堤体の下方に位置する支持層または岩盤層の上面まで根入れされていることを特徴とする請求項１〜３のいずれか１項に記載の堤体の補強構造。
【請求項５】
前記堤体の内部に前記堤体の幅方向に延在する構造物が設けられ、
前記鋼製壁の下端の一部は、前記構造物まで達していないことを特徴とする請求項１〜４のいずれか１項に記載の堤体の補強構造。
【発明の詳細な説明】
【技術分野】
【０００１】
本発明は、堤体の補強構造に関する。
【背景技術】
【０００２】
近年、大規模な地震に伴い河川堤防やため池堤防の決壊が多数発生しており、また幾つかの大規模地震の発生が想定されていることから、堤防（堤体）の耐震補強が重要性を増している。
【０００３】
このような背景を踏まえ、これまでに鋼矢板を用いた堤防（堤体）の補強技術が提案されている（例えば特許文献１および２参照）。
特許文献１に記載の堤体の耐震性能補強構造では、アースフィルダム又は溜池等の盛土された堤体のほぼ中央部分の長手方向に２列縦列に鋼矢板で形成された補強用板状体を埋設し、当該両補強用板状体の上端部を所定間隔毎に連結部材により連結する二重締切り構造としている。
【０００４】
また、特許文献２に記載の堤防の補強構造では、堤防の堤外側の法肩付近に、当該堤防の延長方向に連続し、下端が地盤の支持層に達する鋼矢板で形成された鋼製壁が設けられ、堤内側の法肩付近には、離散的に配置される控え工が設けられ、前記鋼製壁と前記控え工とを前記堤防の天端付近で繋ぎ材により互いに連結している。
【先行技術文献】
【特許文献】
【０００５】
【特許文献１】特開２００３−３２１８２６号公報
【特許文献２】特開２０１３−１４９６２号公報
【発明の概要】
【発明が解決しようとする課題】
【０００６】
ところで、「農業土木学会論文集  ＴＲＡＮＳ.  ｏｆ  ＪＳＩＤＲＥＮｏ.２１８,
１２７〜１３７  （２００２.  ４）の「豪雨による農業用ため池の破壊原因と被災の特徴」」に記載されているように、農業用ため池は全国に約２０万〜２５万箇所存在するといわれており、農業のみならず地域の貴重な水資源となっている。しかし、築造年代が古く老朽化が進んでいるため池が多く、豪雨時におけるため池の被害が懸念されている。ため池の被害としては、すべり、浸食などによる堤体の損傷、堤体・基盤の漏水、付帯構造物の損傷が認められるが、被害のほとんどは豪雨によるものであり、その割合は９５%以上となっている。
近年の豪雨／地震災害により、ため池の堤体の決壊に伴う被害が全国的に発生しており、全国に約２０万〜２５万箇所所以上散在するため池の堤体補強が喫緊の課題となっている。
鋼矢板を用いた堤防補強工法としては、鋼矢板二重式仮締切工法が既に確立されており、本設構造としても海岸堤防へ採用されている。一方で、ため池堤防（堤体）においては、農業用として常時一定量貯水していることから、常時作用する堤体への偏水圧を考慮した対策が必要である。
【０００７】
上述した特許文献１および特許文献２に記載の従来の堤体の補強構造は、堤防（堤体）を線状に長い均一な構造物として捉え、堤体の延長方向（延在方向）に直交する２次元断面上で補強体の配置を工夫する補強工法を適用したり、線状構造物としての堤体延長方向内部の範囲内で離散的に補強体構造を設置したりすることが主体であった。
しかし、堤体内部のみに構造体を設置し、災害時などに発生する水圧等に抵抗しようとすると、補強構造体が大型となり、工費・工期が嵩んでしまうという問題がある。
また、ため池は、その形態により谷池と皿池に区分けされるが、周辺地盤が岩盤や硬い地層で囲まれている谷池の場合、堤体内に鋼矢板を設置する工法においては、水圧に抵抗するために鋼矢板下端を硬い地層に設置するために、地盤を打ち砕くクラッシュパイラーなどの特殊な施工機械が必要になる。クラッシュパイラーにおいては、機械損料が高く工費を圧迫するともに、地山を打ち砕くために施工スピードが低下する。また、大型重機となるために山間部などの狭隘地に持ち込むことができない、などの不具合が発生することがある。
【０００８】
本発明は、前記事情に鑑みてなされたもので、従来に比して工費・工期を短縮できるとともに、谷池の貯水量が増加した際に堤体に作用する水圧に十分に抵抗して、堤体の崩壊を抑止できる堤体の補強構造を提供することを目的とする。
【課題を解決するための手段】
【０００９】
前記目的を達成するために、本発明の堤体の補強構造は、谷を堤体によって堰き止めることで形成された谷池の前記堤体を補強する堤体の補強構造であって、
前記堤体の内部に鋼製壁が前記堤体の延在方向に沿って設置され、前記谷池の周囲の地山にアンカー部が設置され、前記アンカー部が前記鋼製壁に接続されていることを特徴とする。
【００１０】
ここで、谷池の堤体は、谷池に貯留されている水を堰き止める部分において、谷池の幅方向の長さより長く形成され、当該堤体の長手方向（延在方向）の端部は、平面視において谷池より側方に突出している。そして、堤体の内部に設置される前記鋼製壁は平面視において堤体の長手方向の一端部から他端部まで連続して形成されている。したがって、アンカー部は、堤体の一端部近傍の地山と他端部近傍の地山にそれぞれ設置し、一方のアンカー部を鋼製壁の一端部に接続し、他方のアンカー部を鋼製板壁の他端部に接続するのが好ましい。
【００１１】
また、鋼製壁としては、鋼矢板を複数連結してなる鋼矢板壁が好適に使用されるが、これに限るものではない。例えば、鋼管矢板を複数連結してなる鋼管矢板壁、鋼矢板と鋼管矢板を複数連結してなる鋼製壁等を使用してもよい。
【００１２】
本発明においては、谷池の周囲の地山に設置されたアンカー部が堤体の内部に設置された鋼製壁に接続されているので、地山の強度を利用して堤体を鋼製壁およびアンカー部によって補強できる。したがって、谷池の貯水量が増加した際に堤体に作用する水圧に十分に抵抗して堤体の崩壊を抑止できるとともに、従来に比して工費・工期を短縮できる。
また、堤体崩壊を引き起こす起点となる、水みちとなり易い土質の性質が異なる地山と堤体との境界面付近を、鋼製壁とアンカー部によって固定できるので、堤体崩壊の危険性を低減できる。
【００１３】
また、本発明の前記構成において、前記アンカー部は、前記地山に設置された支持部材と、この支持部材と前記鋼製壁とを連結する連結部材とを備えていてもよい。
【００１４】
ここで、前記支持部材としては、地山に設置された杭（鋼管杭やコンクリート杭）、鋼矢板またはロックボルトが挙げられるがこれに限るものでない。
また、支持部材として鋼矢板を使用する場合、当該鋼矢板を複数枚、鋼製壁から離れる方向に、連結部材が直線状となるように、連結部材との接続部が一直線状になるように、鋼矢板の厚さ方向（鋼製壁と直交する方向）に所定間隔で設置してもよい。
また前記連結部材としては、タイロッドが挙げられるがこれに限るものでない。例えばＰＣ鋼棒やＰＣ鋼線等の所定の引張強度を有するものであればよい。
【００１５】
このような構成によれば、アンカー部が支持部材と連結部材とを備えているので、支持部材を地山に設置し、当該支持部材を鋼製壁に連結部材によって連結することによって、鋼製壁の下端を堤体全長に亘って支持層内に打設する場合などに比べて、施工が容易となり、また、水圧増加に抵抗するための鋼製壁に必要な剛性を低減でき、経済的な補強工法を実現できる。
【００１６】
また、本発明の前記構成において、前記アンカー部は、前記鋼製壁と交差する方向に延在する控え壁を有し、この控え壁が前記鋼製壁に接続されていてもよい。
【００１７】
ここで、「交差」とは、控え壁が鋼製壁に直交する場合は勿論のこと、控え壁が鋼製壁（の延在方向）に対して所定の角度（例えば４５°以上、９０°未満）で傾斜して交差する場合を含む意味である。
【００１８】
このような構成によれば、鋼製壁と交差する方向に延在する控え壁が鋼製壁に接続されているので、控え壁と地山との間の摩擦力によっても堤体に作用する水圧に抵抗することができる。したがって、堤体に作用する水圧に十分に抵抗できる。
【００１９】
また、本発明の前記構成において、前記堤体の内部に設置された前記鋼製壁は、上端が前記堤体の天端と等しい高さ位置にあり、かつ前記堤体の下方に位置する支持層または岩盤層の上面まで根入れされていてもよい。
【００２０】
ここで、鋼製壁が支持層または岩盤層の上面まで根入れされているとは、堤体の直下に軟弱層があり、その直下に支持層または岩盤層がある場合は、鋼製壁が軟弱層を貫通するとともに鋼製壁の下端が支持層または岩盤層の上面に当接または近接されていることを意味し、堤体の直下に直接支持層または岩盤層がある場合は、堤体の内部に設置された鋼製壁の下端が支持層または岩盤層の上面に当接または近接されていることを意味する。
【００２１】
このような構成によれば、鋼製壁の上端が堤体の天端と等しい高さ位置にあり、かつ鋼製壁が堤体の下方に位置する支持層または岩盤層の上面まで根入れされているので、谷池側から堤体を貫通する水みちや谷池側から堤体直下の軟弱層を貫通する水みちの発生を防止できるので、堤体の浸透破壊を抑止できる。
また、支持層もしくは岩盤層まで鋼製壁を打込む（根入れする）場合は、地盤を打ち砕くクラッシュパイラーなどの特殊な施工機械が必要になるが、支持層または岩盤の上面で鋼製壁を打ち止めることで、通常の施工機で施工が可能であり、施工費の抑制が可能となる。
【００２２】
また、本発明の前記構成において、前記堤体の内部に前記堤体の幅方向に延在する構造物が設けられ、前記鋼製壁の下端の一部は、前記構造物まで達していなくてもよい。
【００２３】
ここで、堤体の内部に設けられる構造物としては底樋が挙げられるが、これに限るものではない。
また、鋼製壁が鋼矢板壁によって構成されている場合、当該鋼矢板壁を構成する複数の鋼矢板のうち、前記構造物の上方に位置する鋼矢板の下端部が前記構造物まで達していなくてもよい。
【００２４】
このような構成によれば、堤体の内部に設置された鋼製壁が堤体の内部の構造物に干渉して、当該構造物が損傷するのを防止できる。
【発明の効果】
【００２５】
本発明によれば、従来に比して工費・工期を短縮できるとともに、谷池の貯水量が増加した際に堤体に作用する水圧に十分に抵抗して堤体の崩壊を抑止できる。
【図面の簡単な説明】
【００２６】
【図１】本発明の実施の形態に係る堤体の補強構造を示すもので、模式的に示す概略図である。
【図２】同、堤体の延在方向中央部における堤体と地盤の横断面図である。
【図３】同、鋼矢板壁の斜視図である。
【図４】同、アンカー部を示すもので、（ａ）アンカー部の第１例を示す斜視図、（ｂ）はアンカー部の第２例を示す斜視図、（ｃ）はアンカー部の第３例を示す斜視図である。
【図５】同、堤体の内部に設置されている鋼矢板壁の延在方向に沿う断面図である。
【発明を実施するための形態】
【００２７】
以下、図面を参照しながら本発明の実施の形態について説明する。
図１は本実施の形態に係る堤体の補強構造を模式的に示す概略図、図２は堤体の延在方向中央部における堤体と地盤の横断面図である。
本実施の形態では、谷を堤体１０によって堰き止めることによって谷池１１が形成されている。谷池１１の周囲は堤体１０を除いて、岩盤や硬質地盤等によって形成された地山１２によって囲まれている。
なお、図１において、谷池１１の周囲の地山１２を平面視において略半分の楕円筒状に図示しているが、地山１２の形状、つまり谷池１１の形状はこれに限ることはなく、また、地山１２も谷の斜面と連続していてもよい。
【００２８】
堤体１０は、横断面台形状に形成されており、谷池１１を横切るにようにして平面視おいて一直線状に設置され、堤体１０の両端部はそれぞれ谷池１１の幅方向端部より外側に突出しており、地山１２と接している。
また、図２に示すように、堤体１０の直下には軟弱層３０があり、この軟弱層３０の直下に支持層４０または岩盤層がある。軟弱層３０および支持層４０は谷池１１の下方にも連続している。
なお、本実施の形態では、軟弱層３０の上面に堤体１０が設けられているが、軟弱層３０がない場合、堤体１０は支持層４０の上面に直接設けられることになる。
【００２９】
また、堤体１０の天端１０ａを挟んで左側を上流側、右側を下流側とすると、上流側に水が貯水された谷池１１が存在している。また、堤体１０は、天端１０ａを挟んで上流側に上流法面１０ｂ、下流側に下流法面１０ｃを備えている。上流法面１０ｂおよび下流法面１０ｃの地表面（軟弱層３０の上面）に対する傾斜角は等しくなっているが、上流法面１０ｂと下流法面１０ｃとで傾斜角を異なるものとしてもよい。
また、図１に示すように、堤体１０の長手方向（延在方向）の端部における上流法面１０ｂには、地山１２が接し、端部以外の上流法面１０ｂに谷池１１の水が接している。
【００３０】
図２に示すように、谷池１１には常時貯水されているが、常時満水位における水面が、堤体１０の上流法面１０ｂの高さの略１／２またはそれ以上の高さとなり、かつ、豪雨時等における設計洪水位における水面が、波の打上げ高さや水深に応じて、天端１０ａより１ｍ以上、下げた高さとなるように、堤体１０の高さが設定されている。
常時満水位の場合、それより上方の上流法面１０ｂには、谷池１１側から水圧は作用しないが、常時満水位を超えるとその分だけ上流法面１０ｂに水圧が増加して作用する。つまり、堤体１０に作用する水圧は、水面が常時満水位を超えると次第に増加し、豪雨等によって水面が設計洪水位となった場合に、最大となる。
【００３１】
また、堤体１０は図示しない取水施設を備えている。この取水施設は、谷池１１の貯水を取水するための斜樋または堅樋と、導水するための底樋（図５参照）とを有している。一般的には、堤体１０の上流法面１０ｂに沿って埋設された斜樋管に取水孔が設けられ、これから取り入れた用水が堤体１０の底部に埋設された底樋に導かれて取水される。
【００３２】
前記堤体１０の内部には、鋼矢板壁（鋼製壁）１５が堤体１０の延在方向（長手方向）に沿って平面視おいて一直線状に設置され、鋼矢板壁１５の延在方向の両端部はそれぞれ、堤体１０の両端部に位置している。つまり、鋼矢板壁１５は堤体１０の一端部から他端部に亘って連続的に設けられている。
さらに、鋼矢板壁１５は、堤体１０の幅方向における中央部に設置され、その上端部は堤体１０の天端１０ａと等しい高さ位置にあり、かつ支持層４０の上面まで根入れされている。つまり、鋼矢板壁１５は軟弱層３０を上下に貫通するとともに鋼矢板壁１５の下端が支持層４０の上面に当接または近接されている。但し、鋼矢板壁１５の堤体幅方向の設置位置は中央部に限るものではなく、谷池側の法肩付近や、谷池とは反対側の法肩付近に鋼矢板壁１５を設置してもよい。支持層４０の上面が傾斜している場合など、堤体１０の天端１０ａから支持層４０上面までの距離が最も短くなる位置に鋼矢板壁１５を設置することで、鋼矢板壁１５の上下方向の長さを短くでき、経済的となる。
【００３３】
鋼矢板壁１５は、図３に示すように、ハット形の鋼矢板１６を複数連結することによって形成されている。
鋼矢板１６はウェブ１６ａと、このウェブ１６ａの両端部にそれぞれ形成されたフランジ１６ｂと、このフランジ１６ｂのウェブ１６ａと逆側の端部に形成されたアーム１６ｃとを備え、このアーム１６ｃの先端部に継手１６ｄが形成されている。
そして、隣り合う鋼矢板１６，１６どうしは継手１６ｄ，１６ｄを互いに嵌合することによって連結され、これによって鋼矢板壁１５が形成されている。
鋼矢板壁１５を構成する鋼矢板はハット形の鋼矢板に限ることはなく、Ｕ形の鋼矢板、直線鋼矢板であってもよい。
【００３４】
また、谷池１１の周囲でかつ堤体１０の近傍の地山１２にアンカー部２０が設置され、このアンカー部２０が鋼矢板壁１５に接続されている。
堤体１０の内部に設置される鋼矢板壁１５は平面視において堤体１０の長手方向の一端部から他端部まで連続して形成されている。したがって、アンカー部２０は、堤体１０の一端部近傍の地山１２と他端部近傍の地山１２にそれぞれ設置され、一方のアンカー部２０は鋼矢板壁１５の一端部に接続され、他方のアンカー部２０は鋼矢板壁１５の他端部に接続されている。
また、アンカー部２０を鋼矢板壁１５に接続する場合、アンカー部２０の先端部（鋼矢板壁１５側に近い端部）を堤体１０にその上流法面１０ｂから差し込んだうえで、当該先端部を鋼矢板壁１５に接続する。
また、アンカー部２０は、堤体１０の一端部近傍の地山１２と他端部近傍の地山１２にそれぞれ複数（図１では２本）設置してもよい。
【００３５】
アンカー部２０の第１例として、図４（ａ）に示すような控え壁２１を採用することができる。
控え壁２１は、堤体１０の内部に設置されている鋼矢板壁１５と同様に、ハット形の鋼矢板１６を複数連結することによって形成されている。このような控え壁２１は、鋼矢板壁１５と交差する方向に延在している。本実施の形態では、控え壁２１は鋼矢板壁１５とほぼ直交する方向に平面視において一直線状に延在している。そして、控え壁２１の先端部（鋼矢板壁１５側に近い端部）が鋼矢板壁１５に接続されている。
【００３６】
一方、鋼矢板壁１５は複数の鋼矢板１６を連結することによって形成されているが、控え壁２１を接続する部位、つまり、鋼矢板壁１５の両端部をそれぞれ形成する鋼矢板は、異形鋼矢板１６Ａによって形成されている。
この異形鋼矢板１６Ａは、ハット形の鋼矢板のウェブに、先端部に継手を有するアームの基端部を溶接等によって固定したものであり、このアームの先端部の継手に、控え壁２１の先端部を形成する鋼矢板１６の継手を嵌合することによって、控え壁２１の先端部が鋼矢板壁１５に接続されている。
【００３７】
また、控え壁２１の先端部を鋼矢板壁１５に接続する場合、異形鋼矢板１６Ａを使用することに代えて、鋼矢板壁１５の両端部をそれぞれ形成する鋼矢板１６のウェブにコネクタ（継手）を溶接等によって固定し、このコネクタに控え壁２１の先端部を形成する鋼矢板１６の継手を係合してもよい。
【００３８】
また、アンカー部２０の第２例として、図４（ｂ）に示すような、支持部材２２ａと連結部材２２ｂを採用することができる。
支持部材２２ａは例えば、鋼管杭やコンクリート杭等の杭によって形成され、谷池１１の周囲でかつ堤体１０の近傍の地山１２に設置されている。支持部材２２ａは鋼矢板壁１５の両端部側において、当該鋼矢板壁１５と所定間隔を隔ててかつ鋼矢板壁１５と平行にして地山に設置されている。支持部材２２ａの上端は鋼矢板壁１５の上端とほぼ等しい高さとなっている。但し、堤体１０の一端部近傍の地山１２と他端部近傍の地山１２の地盤強度や地上天端位置が異なるときは、両端部の支持部材２２ａ，２２ａを鋼矢板壁１５に必ずしも平行に配置する必要はなく、支持部材２２ａ，２２ａの天端を鋼矢板壁１５の上端と等しい高さにする必要はない。
また、連結部材２２ｂは、例えばタイロッド、ＰＣ鋼棒またはＰＣ鋼線等の所定の引張強度を有するものが使用される。このような連結部材２２ｂは、支持部材２２ａと鋼矢板壁１５の上端間に配置され、当該連結部材２２ｂの先端部が鋼矢板壁１５の上端部に連結され、基端部が支持部材２２ａの上端部に連結されている。なお、支持部材２２ａの天端位置が鋼矢板壁１５の上端と異なる高さとなるときは、連結部材２２ｂは水平とはならず、先端部から基端部に向かって上昇したり下降したりする斜め方向にセットされて取り付けられることになる。
【００３９】
また、アンカー部２０の第３例として、図４（ｃ）に示すような、支持部材２３ａと連結部材２３ｂを採用することができる。
支持部材２３ａは、例えばハット形の鋼矢板によって形成され、谷池１１の周囲でかつ堤体１０の近傍の地山１２に設置されている。支持部材２３ａは鋼矢板壁１５の両端部側において、当該鋼矢板壁１５と所定間隔を隔ててかつ鋼矢板壁１５と平行に、さらに鋼矢板のウェブを鋼矢板壁１５側に向けて地山に設置されている。なお、支持部材２３ａのウェブ面は鋼矢板壁１５と反対側に向けて設置されてもよく、この場合は、連結部材２３ｂが鋼矢板壁１５側に引っ張られるとき、支持部材２３のウェブとフランジにより囲まれた空間の地盤を鋼矢板（支持部材２３ａ）が拘束するため、より大きい地山の抵抗を期待することができる。また、支持部材２３ａは、複数枚、支持部材２３ａの厚さ方向（鋼矢板壁１５と直交する方向）に所定間隔で設置されている。また、支持部材２３ａの上端は鋼矢板壁１５の上端とほぼ等しい高さとなっているか、もしくは、地山天端高さに合わせて、適宜支持部材２３ａの高さが調節される。
連結部材２３ｂは、前記連結部材２２ｂと同様に、例えばタイロッド、ＰＣ鋼棒またはＰＣ鋼線等の所定の引張強度を有するものが使用される。このような連結部材２３ｂは、複数の支持部材２３ａと鋼矢板壁１５の上端間に配置され、当該連結部材２３ｂの先端部が鋼矢板壁１５の上端部に連結され、基端部が複数の支持部材２３ａの上端部にそれぞれ連結されている。
【００４０】
また、図示は省略するが、地山が岩盤層などで強固な場合は、上述した支持部材２２ａ，２３ａに代えてロックボルトを地山内に打ち込み、このロックボルトと鋼矢板壁１５とをタイロッド、ＰＣ鋼棒またはＰＣ鋼線等の連結部材によって連結してもよい。
【００４１】
また、図５に示すように、堤体１０の底部に、当該堤体１０の延在方向と直交する幅方向（図５において紙面と直交する方向）に延在する底樋等の構造物２５が設けられている場合、鋼矢板壁１５の下端の一部は、構造物２５まで達していない。なお、底樋には、堤体１０の上流法面１０ｂに沿って埋設された斜樋管に取水孔から取り入れた用水が導かれて取水される。
鋼矢板壁１５は複数の鋼矢板１６を連結することによって形成されているので、これら複数の鋼矢板１６のうち、構造物２５の上方に位置する鋼矢板１６の下端部が構造物２５まで達していない、つまり、当該鋼矢板１６の下端と構造物２５との間には所定の隙間が設けられている。
【００４２】
以上のように本実施の形態によれば、谷池１１の周囲でかつ堤体１０の近傍の地山１２に設置されたアンカー部２０が堤体１０の内部に設置された鋼矢板壁１５に接続されているので、地山１２の強度を利用して堤体１０を鋼矢板壁１５およびアンカー部２０によって補強できる。したがって、谷池１１の貯水量が増加した際に堤体１０に作用する水圧に十分に抵抗して堤体１０の崩壊を抑止できるとともに、従来に比して工費・工期を短縮できる。
また、堤体崩壊を引き起こす起点となる、水みちとなり易い土質の性質が異なる地山１２と堤体１０との境界面（図１において符号１７で示す。）付近を、鋼矢板壁１５とアンカー部２０によって固定できるので、堤体崩壊の危険性を低減できる。地山１２と堤体１０との境界面１７をより強固に補強するためには、堤体端部近傍の地山１２にアンカー部２０を設置することがより好適である。
【００４３】
また、アンカー部２０が、地山１２に設置された支持部材２２ａ，２３ａと、この支持部材２２ａ，２３ａと鋼矢板壁１５とを連結する連結部材２２ｂ，２３ｂとを備えている場合、支持部材２２ａ，２３ａを地山１２に設置し、当該支持部材２２ａ，２３ａを鋼矢板壁１５に連結部材２２ｂ，２３ｂによって連結することによって、鋼矢板壁１５の下端を支持層４０内に打設することが不要となって施工が容易となり、また、水圧増加に抵抗するための鋼矢板壁１５に必要な剛性を低減でき、鋼矢板壁１５の材料費を低減でき経済的な補強工法を実現できる。
【００４４】
さらに、アンカー部２０が、鋼矢板壁１５と交差する方向に延在する控え壁２１を有し、この控え壁２１が鋼矢板壁１５に接続されている場合、控え壁２１と地山１２との間の摩擦力によっても堤体１０に作用する水圧に抵抗することができる。したがって、堤体１０に作用する水圧に十分に抵抗できる。
特に、控え壁２１はハット形の鋼矢板１６を複数連結することによって形成されているので、平面視において控え壁２１の凹凸形状により地山１２から反力を取り、谷池１１の水圧により鋼矢板壁１５が谷池１１から離れる方向に変形することを抑止できる。
【００４５】
また、堤体１０の内部に設置された鋼矢板壁１５は、上端が堤体１０の天端１０ａと等しい高さ位置にあり、かつ堤体１０の下方にある軟弱層３０に、当該軟弱層３０の下方にある支持層４０の上面まで根入れされているので、谷池１１側から堤体１０を貫通する水みちや谷池１１側から堤体１０直下の軟弱層３０を貫通する水みちの発生を防止できる。したがって、堤体１０の浸透破壊を抑止できる。
また、豪雨時に堤体１０に越流が生じても、鋼矢板壁１５の上端が堤体１０の天端１０ａと等しいので、堤体１０の高さを保持でき、堤体１０の越流破壊を抑制できる。
また、支持層４０まで鋼矢板壁１５を打込む（根入れする）場合は、地盤を打ち砕くクラッシュパイラーなどの特殊な施工機械が必要になるが、支持層４０の上面で鋼矢板壁１５を打ち止めることで、通常の施工機で施工が可能であり、施工費の抑制が可能となる。
【００４６】
さらに、堤体１０の内部に堤体１０の幅方向に延在する底樋等の構造物２５が設けられている場合、鋼矢板壁１５を構成する複数の鋼矢板１６のうち、構造物２５の上方に位置する鋼矢板１６の下端部が構造物２５まで達していないので、鋼矢板壁１５が構造物２５に干渉して、当該構造物２５が損傷するのを防止できる。
【００４７】
なお、本実施の形態では、堤体１０の内部に設置する鋼矢板壁１５の根入れを支持層４０の上面までとしたが、水圧に対するアンカー部２０の抵抗強度が不足する場合は、鋼矢板壁１５の下端の一部または全部を支持層４０に根入れしても構わない。
また、本実施の形態では、堤体１０は平面視において一直線状に形成されているが、堤体１０が谷池側または谷池側と反対側に平面視において曲面状に若干膨らむ場合がある。このような場合でも、鋼矢板壁１５は堤体１０の延在方向の一端部から他端部まで平面視において一直線状に延在するようにして堤体１０の内部に設置するのが好ましい。鋼矢板壁１５を直線状とすることで、曲線状に打設するときに比べて、鋼矢板壁１５を構成する鋼材の総重量を減らし、材料費を抑制できる。
さらに、本実施の形態では、堤体１０の内部に鋼矢板壁１５を一列設けたが、複数列設けてもよい。この場合、堤体１０の幅方向に隣り合う鋼矢板壁１５どうしは、堤体１０の延在方向に所定間隔で複数設けられたタイロッド等の連結部材によって連結するのが好ましい。
【符号の説明】
【００４８】
１０  堤体
１０ａ  天端
１１  谷池
１２  地山
１５  鋼矢板壁（鋼製壁）
２０  アンカー部
２１  控え壁
２２ａ，２３ａ  支持部材
２２ｂ，２３ｂ  連結部材
２５  構造物
３０  軟弱層
４０  支持層
【図１】
2020117959.tif 000003
【図２】
2020117959.tif 000004
【図３】
2020117959.tif 000005
【図４】
2020117959.tif 000006
【図５】
2020117959.tif 000007